(57)【要約】【課題】潤滑剤を使用してもコントロールユニットの品質低下を防ぐことができるコントロールユニットの製造方法および、その製造方法で製造されたコントロールユニットを提供する。【解決手段】作業者は、スライド部ＡＢＳ樹脂成形品２２ｓをエッチング液ｅに浸漬して得られた多孔質スライド部２２ｔを潤滑剤ｇに浸漬することにより、潤滑剤浸透済スライド部２２ｕを得る。次に、作業者は、潤滑剤浸透済スライド部２２ｕに残存している余分な潤滑剤ｇを除去してスライド部２２を得る。次に、作業者は、ベースの各収容部内にスライド部２２を入れ、各スライド部２２に操作ボタン本体を嵌めてコントロールユニットを形成する。次に、作業者は操作ボタン本体を指で押す。これにより、スライド部２２のエッチング孔ｈに浸透している潤滑剤ｇが滲出してスライド部２２と収容部との間に浸透することによりコントロールユニットが出来上がる。【選択図】図６
2009059485.tif 000002
【特許請求の範囲】
【請求項１】
操作ボタン本体にスライド部が結合しているプッシュ式の操作ボタンと、前記スライド部を押下方向とその逆方向とに摺動可能に保持するための収容部を有するベースとを備えているコントロールユニットの製造方法において、
前記操作ボタン本体を前記スライド部から分離して成形して得るとともに、ＡＢＳ樹脂を用いて前記スライド部と同じ外観形状のスライド部ＡＢＳ樹脂成形品を得る操作ボタン分割成形工程と、
前記スライド部ＡＢＳ樹脂成形品の表面に存在しているブタジエン粒子をエッチング液を用いて溶解することにより、表面に多数のエッチング孔が形成された多孔質スライド部を得るエッチング工程と、
前記多孔質スライド部を潤滑剤に浸漬して当該多孔質スライド部のエッチング孔に前記潤滑剤を浸透させることにより潤滑剤浸透済スライド部を得る含侵工程と、
前記潤滑剤浸透済スライド部の表面に残存している余分な潤滑剤を除去して前記スライド部を得る洗浄工程と、
予め製造された前記ベースの前記収容部に、前記洗浄工程によって得られた前記スライド部を入れて保持させ、さらに当該スライド部に、前記操作ボタン分割成形工程によって得られた前記操作ボタン本体を結合して前記コントロールユニットを形成する組み付け工程と、
前記操作ボタン本体のプッシュ操作によって、前記スライド部の前記エッチング孔に浸透している前記潤滑剤を滲出させて、当該潤滑剤を前記スライド部と前記ベースの前記収容部との間に浸透させる調整工程と、
を備えたことを特徴とするコントロールユニットの製造方法。
【請求項２】
スライド部を有するプッシュ式の操作ボタンと、前記スライド部を押下方向とその逆方向とに摺動可能に保持するための収容部を有するベースとを備えているコントロールユニットの製造方法において、
ＡＢＳ樹脂を用いて前記ベースの前記収容部に相当する部分であるＡＢＳ樹脂成形収容部を成形して、ＡＢＳ樹脂以外の樹脂を用いて前記ベースの前記収容部以外の相当する部分を成形することによりベース二色成形品を得るベース元部材成形工程と、
前記ベース二色成形品の前記ＡＢＳ樹脂成形収容部の表面に存在しているブタジエン粒子をエッチング液を用いて溶解することにより、表面に多数のエッチング孔が形成された多孔質収容部を有するベース二色成形品を得るエッチング工程と、
前記多孔質収容部を有する前記ベース二色成形品を潤滑剤に浸漬して当該多孔質収容部のエッチング孔に前記潤滑剤を浸透させることにより潤滑剤浸透済ベース二色成形品を得る含侵工程と、
前記潤滑剤浸透済ベース二色成形品の表面に残存している余分な潤滑剤を除去して前記ベースを得る洗浄工程と、
前記洗浄工程によって得られた前記ベースの前記収容部に、予め製造された前記操作ボタンの前記スライド部を入れて保持させることにより前記コントロールユニットを形成する組み付け工程と、
前記操作ボタンのプッシュ操作によって前記ベースの前記収容部の前記エッチング孔に浸透している前記潤滑剤を滲出させて、当該潤滑剤を前記収容部と前記操作ボタンの前記スライド部との間に浸透させる調整工程と、
を備えたことを特徴とするコントロールユニットの製造方法。
【請求項３】
操作ボタン本体にスライド部が結合しているプッシュ式の操作ボタンと、前記スライド部を押下方向とその逆方向とに摺動可能に保持するための収容部を有するベースとを備えているコントロールユニットの製造方法において、
前記操作ボタン本体を前記スライド部から分離して成形して得るとともに、ＡＢＳ樹脂を用いて前記スライド部と同じ外観形状のスライド部ＡＢＳ樹脂成形品を得る操作ボタン分割成形工程と、
ＡＢＳ樹脂を用いて前記ベースの前記収容部に相当する部分であるＡＢＳ樹脂成形収容部を成形し、ＡＢＳ樹脂以外の樹脂を用いて前記ベースの前記収容部以外の相当する部分を成形することによりベース二色成形品を得るベース元部材成形工程と、
前記スライド部ＡＢＳ樹脂成形品の表面に存在しているブタジエン粒子をエッチング液を用いて溶解することにより、表面に多数のエッチング孔が形成された多孔質スライド部を得るとともに、前記ベース二色成形品の前記ＡＢＳ樹脂成形収容部の表面に存在しているブタジエン粒子をエッチング液を用いて溶解することにより、表面に多数のエッチング孔が形成された多孔質収容部を有するベース二色成形品を得るエッチング工程と、
前記多孔質スライド部を潤滑剤に浸漬して当該多孔質スライド部のエッチング孔に前記潤滑剤を浸透させることにより潤滑剤浸透済スライド部を得るとともに、前記多孔質収容部を有する前記ベース二色成形品を潤滑剤に浸漬して当該多孔質収容部のエッチング孔に前記潤滑剤を浸透させることにより潤滑剤浸透済ベース二色成形品を得る含侵工程と、
前記潤滑剤浸透済スライド部の表面に残存している余分な潤滑剤を除去して前記スライド部を得るとともに、前記潤滑剤浸透済ベース二色成形品の表面に残存している余分な潤滑剤を除去して前記ベースを得る洗浄工程と、
前記洗浄工程によって得られた前記ベースの前記収容部に、前記洗浄工程によって得られた前記スライド部を入れて保持させ、さらに当該スライド部に、前記操作ボタン分割成形工程によって得られた前記操作ボタン本体を結合して前記コントロールユニットを形成する組み付け工程と、
前記操作ボタン本体のプッシュ操作によって、前記ベースの前記収容部の前記エッチング孔に浸透している前記潤滑剤を滲出させるとともに、前記スライド部の前記エッチング孔に浸透している前記潤滑剤を滲出させて、これらの潤滑剤を前記収容部と前記スライド部との間に浸透させる調整工程と、
を備えたことを特徴とするコントロールユニットの製造方法。
【請求項４】
前記含侵工程は、真空引きをしながら行うことを特徴とする請求項１〜請求項３のいずれか１項に記載のコントロールユニットの製造方法。
【請求項５】
前記エッチング工程の前に、前記スライド部ＡＢＳ樹脂成形品の表面に付着している汚れや、前記ベース二色成形品の前記ＡＢＳ樹脂成形収容部の表面に付着している汚れを除去するエッチング前洗浄工程を設けたことを特徴とする請求項１〜請求項４のいずれか１項に記載のコントロールユニットの製造方法。
【請求項６】
前記エッチング工程の後に、前記多孔質スライド部の表面に残存している前記エッチング液や、前記多孔質収容部を有する前記ベース二色成形品の表面に残存している前記エッチング液を除去するエッチング後洗浄工程を設けたことを特徴とする請求項１〜請求項５のいずれか１項に記載のコントロールユニットの製造方法。
【請求項７】
操作ボタン本体にスライド部が結合しているプッシュ式の操作ボタンと、前記スライド部を押下方向とその逆方向とに摺動可能に保持するための収容部を有するベースとを備えているコントロールユニットにおいて、
前記プッシュ式の操作ボタンまたは前記ベースの少なくともいずれか一方が、請求項１〜請求項６のいずれか１項に記載された製造方法を用いて製造されたものであることを特徴とするコントロールユニット。
【発明の詳細な説明】
【技術分野】
【０００１】
本件発明は、例えば、車両のオーディオシステムやナビゲーションシステムを操作するために用いられるコントロールユニットの製造方法および、その製造方法で製造されたコントロールユニットに関する。
【背景技術】
【０００２】
従来、車両のオーディオシステムやナビゲーションシステムを操作するために用いられるコントロールユニットとしては、例えば、特許文献１（実公平４−３６５１０号公報）に記載されたものがある。この特許文献１に記載されているコントロールユニットは、プッシュ式の操作ボタンと、ベース（ハウジング１）とを備えている。
【０００３】
操作ボタンは、操作ボタン本体（ノブ４）と、スライド部（突条５、摺動子８）とを有している。ベースは収容部（案内溝６、案内レール９）を有している。この収容部は、操作ボタンのスライド部を押下方向とその逆方向とに摺動可能に保持するものである。ここで、スライド部をスムーズに摺動させるためにグリース等の潤滑剤が使用されている。この潤滑剤は収容部に塗布される。この潤滑剤の塗布作業は、機械で自動的に行われるか、もしくは作業者自身が器具を用いて行っている。
【０００４】
【特許文献１】実公平４−３６５１０号公報
【発明の開示】
【発明が解決しようとする課題】
【０００５】
しかしながら、一つのコントロールユニットに多くの操作ボタンが使用される場合には、ベースに設けられる収容部の数が多くなる。このため、作業者は、収容部の方に潤滑剤を塗布すると、非常に手間がかかる。したがって、塗布を忘れてしまう収容部が発生することがあるので、後で塗布状態を確認しなければならない。また、収容部が狭い場合には、この収容部に機械や器具の先端部が十分に届かないので、潤滑剤を満足に塗布できない。
【０００６】
したがって、従来のコントロールユニットの製造方法では、収容部の数が多いコントロールユニットや収容部が狭いコントロールユニットを製造する場合に、潤滑剤をスライド部と収容部との間に確実に浸透させることができない。そのため、コントロールユニットの品質にバラツキが生じるので、車両の生産ラインにおいてコントロールユニットを安定して供給することができなかった。
【０００７】
本件発明は、かかる従来の課題に鑑みてなされたものであり、潤滑剤を使用してもコントロールユニットの品質低下を防ぐことができるコントロールユニットの製造方法および、その製造方法で製造されたコントロールユニットを提供することを目的とする。
【課題を解決するための手段】
【０００８】
前記課題を解決するために本件発明のコントロールユニットの製造方法においては、操作ボタン本体にスライド部が結合しているプッシュ式の操作ボタンと、前記スライド部を押下方向とその逆方向とに摺動可能に保持するための収容部を有するベースとを備えているコントロールユニットの製造方法において、前記操作ボタン本体を前記スライド部から分離して成形して得るとともに、ＡＢＳ樹脂を用いて前記スライド部と同じ外観形状のスライド部ＡＢＳ樹脂成形品を得る操作ボタン分割成形工程と、前記スライド部ＡＢＳ樹脂成形品の表面に存在しているブタジエン粒子をエッチング液を用いて溶解することにより、表面に多数のエッチング孔が形成された多孔質スライド部を得るエッチング工程と、前記多孔質スライド部を潤滑剤に浸漬して当該多孔質スライド部のエッチング孔に前記潤滑剤を浸透させることにより潤滑剤浸透済スライド部を得る含侵工程と、前記潤滑剤浸透済スライド部の表面に残存している余分な潤滑剤を除去して前記スライド部を得る洗浄工程と、予め製造された前記ベースの前記収容部に、前記洗浄工程によって得られた前記スライド部を入れて保持させ、さらに当該スライド部に、前記操作ボタン分割成形工程によって得られた前記操作ボタン本体を結合して前記コントロールユニットを形成する組み付け工程と、前記操作ボタン本体のプッシュ操作によって、前記スライド部の前記エッチング孔に浸透している前記潤滑剤を滲出させて、当該潤滑剤を前記スライド部と前記ベースの前記収容部との間に浸透させる調整工程と、を備えたことを特徴としている。
【０００９】
また、本件発明のコントロールユニットの製造方法においては、スライド部を有するプッシュ式の操作ボタンと、前記スライド部を押下方向とその逆方向とに摺動可能に保持するための収容部を有するベースとを備えているコントロールユニットの製造方法において、ＡＢＳ樹脂を用いて前記ベースの前記収容部に相当する部分であるＡＢＳ樹脂成形収容部を成形して、ＡＢＳ樹脂以外の樹脂を用いて前記ベースの前記収容部以外の相当する部分を成形することによりベース二色成形品を得るベース元部材成形工程と、前記ベース二色成形品の前記ＡＢＳ樹脂成形収容部の表面に存在しているブタジエン粒子をエッチング液を用いて溶解することにより、表面に多数のエッチング孔が形成された多孔質収容部を有するベース二色成形品を得るエッチング工程と、前記多孔質収容部を有する前記ベース二色成形品を潤滑剤に浸漬して当該多孔質収容部のエッチング孔に前記潤滑剤を浸透させることにより潤滑剤浸透済ベース二色成形品を得る含侵工程と、前記潤滑剤浸透済ベース二色成形品の表面に残存している余分な潤滑剤を除去して前記ベースを得る洗浄工程と、前記洗浄工程によって得られた前記ベースの前記収容部に、予め製造された前記操作ボタンの前記スライド部を入れて保持させることにより前記コントロールユニットを形成する組み付け工程と、前記操作ボタンのプッシュ操作によって前記ベースの前記収容部の前記エッチング孔に浸透している前記潤滑剤を滲出させて、当該潤滑剤を前記収容部と前記操作ボタンの前記スライド部との間に浸透させる調整工程と、を備えたことを特徴としている。
【００１０】
また、本件発明のコントロールユニットの製造方法においては、操作ボタン本体にスライド部が結合しているプッシュ式の操作ボタンと、前記スライド部を押下方向とその逆方向とに摺動可能に保持するための収容部を有するベースとを備えているコントロールユニットの製造方法において、前記操作ボタン本体を前記スライド部から分離して成形して得るとともに、ＡＢＳ樹脂を用いて前記スライド部と同じ外観形状のスライド部ＡＢＳ樹脂成形品を得る操作ボタン分割成形工程と、ＡＢＳ樹脂を用いて前記ベースの前記収容部に相当する部分であるＡＢＳ樹脂成形収容部を成形し、ＡＢＳ樹脂以外の樹脂を用いて前記ベースの前記収容部以外の相当する部分を成形することによりベース二色成形品を得るベース元部材成形工程と、前記スライド部ＡＢＳ樹脂成形品の表面に存在しているブタジエン粒子をエッチング液を用いて溶解することにより、表面に多数のエッチング孔が形成された多孔質スライド部を得るとともに、前記ベース二色成形品の前記ＡＢＳ樹脂成形収容部の表面に存在しているブタジエン粒子をエッチング液を用いて溶解することにより、表面に多数のエッチング孔が形成された多孔質収容部を有するベース二色成形品を得るエッチング工程と、前記多孔質スライド部を潤滑剤に浸漬して当該多孔質スライド部のエッチング孔に前記潤滑剤を浸透させることにより潤滑剤浸透済スライド部を得るとともに、前記多孔質収容部を有する前記ベース二色成形品を潤滑剤に浸漬して当該多孔質収容部のエッチング孔に前記潤滑剤を浸透させることにより潤滑剤浸透済ベース二色成形品を得る含侵工程と、前記潤滑剤浸透済スライド部の表面に残存している余分な潤滑剤を除去して前記スライド部を得るとともに、前記潤滑剤浸透済ベース二色成形品の表面に残存している余分な潤滑剤を除去して前記ベースを得る洗浄工程と、前記洗浄工程によって得られた前記ベースの前記収容部に、前記洗浄工程によって得られた前記スライド部を入れて保持させ、さらに当該スライド部に、前記操作ボタン分割成形工程によって得られた前記操作ボタン本体を結合して前記コントロールユニットを形成する組み付け工程と、前記操作ボタン本体のプッシュ操作によって、前記ベースの前記収容部の前記エッチング孔に浸透している前記潤滑剤を滲出させるとともに、前記スライド部の前記エッチング孔に浸透している前記潤滑剤を滲出させて、これらの潤滑剤を前記収容部と前記スライド部との間に浸透させる調整工程と、を備えたことを特徴としている。
【００１１】
かかる構成において、本件発明のコントロールユニットの製造方法は、製造の途中でスライド部の元部材やベースの元部材を潤滑剤に浸漬する。このため、本件発明のコントロールユニットの製造方法は、収容部の数が多いコントロールユニットや、収容部が狭いコントロールユニットを製造する場合であっても、収容部とスライド部との間に潤滑剤を確実に浸透させることが可能になる。
【００１２】
また、本件発明のコントロールユニットの製造方法においては、前記含侵工程は、真空引きをしながら行うことを特徴としている。
【００１３】
かかる構成において、含侵工程では、多孔質スライド部のエッチング孔や多孔質収容部のエッチング孔に潤滑剤を容易に浸透させることが可能になる。
【００１４】
また、本件発明のコントロールユニットの製造方法においては、前記エッチング工程の前に、前記スライド部ＡＢＳ樹脂成形品の表面に付着している汚れや、前記ベース二色成形品の前記ＡＢＳ樹脂成形収容部の表面に付着している汚れを除去するエッチング前洗浄工程を設けたことを特徴としている。
【００１５】
かかる構成において、エッチング工程では、スライド部ＡＢＳ樹脂成形品の表面全体やベース二色成形品の収容部の表面全体にエッチング液が行き渡る。その結果、エッチング前洗浄工程を行わない場合に比べてエッチング孔が多く形成される。
【００１６】
また、本件発明のコントロールユニットの製造方法においては、前記エッチング工程の後に、前記多孔質スライド部の表面に残存している前記エッチング液や、前記多孔質収容部を有する前記ベース二色成形品の表面に残存している前記エッチング液を除去するエッチング後洗浄工程を設けたことを特徴としている。
【００１７】
かかる構成において、含浸工程では、多孔質スライド部のエッチング孔や多孔質収容部のエッチング孔に潤滑剤を容易に浸透させることが可能になる。
【００１８】
また、本件発明のコントロールユニットにおいては、操作ボタン本体にスライド部が結合しているプッシュ式の操作ボタンと、前記スライド部を押下方向とその逆方向とに摺動可能に保持するための収容部を有するベースとを備えているコントロールユニットにおいて、前記プッシュ式の操作ボタンまたは前記ベースの少なくともいずれか一方が、本件発明のコントロールユニットの製造方法を用いて製造されたものであることを特徴としている。
【００１９】
かかる構成において、本件発明のコントロールユニットは、収容部の数が多いコントロールユニットや、収容部が狭いコントロールユニットであっても、収容部とスライド部との間に潤滑剤を確実に浸透させておくことが可能になる。
【発明の効果】
【００２０】
本件発明のコントロールユニットの製造方法においては、製造の途中でスライド部の元部材やベースの元部材を潤滑剤に浸漬するようにした。このため、本件発明のコントロールユニットの製造方法は、収容部の数が多いコントロールユニットや、収容部が狭いコントロールユニットを製造する場合であっても、収容部とスライド部との間に潤滑剤を確実に浸透させておくことが可能になる。よって、本件発明のコントロールユニットの製造方法は、潤滑剤を使用しても、コントロールユニットの品質低下を防ぐことができる。その結果、車両等の生産ラインにおいて、コントロールユニットを安定して供給することができる。
【００２１】
また、本件発明のコントロールユニットの製造方法においては、真空引きをしながら含侵工程を行うようにした。このため、多孔質スライド部のエッチング孔や多孔質収容部のエッチング孔に潤滑剤を容易に浸透させることが可能になる。よって、本件発明のコントロールユニットの製造方法は、コントロールユニットの製造効率を高めることができる。
【００２２】
さらに、この含侵工程によってエッチング孔に潤滑剤が容易に浸透することから、出来上がったスライド部やベースの収容部に浸透している潤滑剤の量が多くなる。これにより、調整工程では、スライド部や収容部から滲出する潤滑剤の量が多くなるので、スライド部の摺動性が高まる。したがって、操作ボタンの操作性が良くなる。よって、本件発明のコントロールユニットの製造方法は、品質の高いコントロールユニットを製造することができる。
【００２３】
また、本件発明のコントロールユニットの製造方法においては、エッチング工程の前にエッチング前洗浄工程を設けることにより、スライド部ＡＢＳ樹脂成形品の表面に付着している汚れや、前記ベース二色成形品の収容部の表面に付着している汚れを除去するようにした。これによりエッチング工程では、スライド部ＡＢＳ樹脂成形品の表面全体やベース二色成形品の収容部の表面全体にエッチング液が行き渡るので、エッチング前洗浄工程を行わない場合に比べてエッチング孔が多く形成される。その結果、出来上がったスライド部やベースの収容部に浸透している潤滑剤の量が多くなるので、スライド部の摺動性が高まる。よって、本件発明のコントロールユニットの製造方法は、品質の高いコントロールユニットを製造することができる。
【００２４】
また、本件発明のコントロールユニットの製造方法においては、エッチング工程の後にエッチング後洗浄工程を設けることにより、多孔質スライド部の表面に残存しているエッチング液や、多孔質収容部の表面に残存しているエッチング液を除去するようにした。これにより、含浸工程では、エッチング後洗浄工程を行わない場合に比べて、多孔質スライド部のエッチング孔や多孔質収容部のエッチング孔に潤滑剤を容易に浸透させることが可能になる。よって、本件発明のコントロールユニットの製造方法は、コントロールユニットの製造効率を高めることができる。
【００２５】
さらに、このエッチング後洗浄工程によってエッチング孔に潤滑剤が容易に浸透することから、出来上がったスライド部やベースの収容部に浸透している潤滑剤の量が多くなる。これにより、調整工程では、スライド部や収容部から滲出する潤滑剤の量が多くなるので、スライド部の摺動性が高まる。よって、本件発明のコントロールユニットの製造方法は、品質の高いコントロールユニットを製造することができる。
【００２６】
また、本件発明のコントロールユニットにおいては、操作ボタンまたはベースの少なくともいずれか一方を、本件発明のコントロールユニットの製造方法を用いて製造した。これにより、本件発明のコントロールユニットは、収容部の数が多いコントロールユニットや、収容部が狭いコントロールユニットの場合でも、収容部とスライド部との間に潤滑剤が確実に浸透する。よって、本件発明のコントロールユニットは、潤滑剤を使用しても、コントロールユニットの品質低下を防ぐことができる。その結果、車両等の生産ラインにおいて、コントロールユニットを安定して供給することができる。
【発明を実施するための最良の形態】
【００２７】
以下、本件発明の実施の形態を図にしたがって説明する。
【００２８】
第１の実施の形態：
図１は、本件発明の第１の実施の形態を示すコントロールユニット１の分解斜視図である。このコントロールユニット１は、車両のオーディオシステム（カーオディオ）を操作するために用いられる。このコントロールユニット１は、複数の操作ボタン２と、ベース３とを備えている。
【００２９】
各操作ボタン２は、プッシュ式の操作ボタンである。各操作ボタン２は、操作ボタン本体２１と、スライド部２２とを備えている。操作ボタン本体２１は、乗員がオーディオの操作を行う部分である。この操作ボタン本体２１は四角型のキャップ状に形成されている。操作ボタン本体２１の前面には、操作内容を示すための文字が設けられている。さらに操作ボタン本体２１の周縁部には、係止穴２１ａが設けられている。
【００３０】
スライド部２２は、ベース３に保持される部分である。図２は、スライド部２２を後方側から見た斜視図である。この図２に示すように、スライド部２２は四角型の筒状に形成されている。スライド部２２の前面と後面は開口されている。図１に示すように、スライド部２２の前側部分は、操作ボタン本体２１が外嵌するように構成されている。
【００３１】
図２に示すように、スライド部２２の上面２２１と下面２２２とには、二つの係止爪２２ａが設けられている。図２では、上面２２１に設けられている二つの係止爪２２ａのみを示す。これらの四つの係止爪２２ａは、操作ボタン本体２１がスライド部２２の前側部分に外嵌した状態で、操作ボタン本体２１の係止穴２１ａ（図１参照）に係止されるように構成されている。
【００３２】
図２に示すように、スライド部２２の上面２２１、下面２２２、右側面２２３、左側面２２４の各々には、レール部２２ｂが設けられている。各レール部２２ｂは、各面２２１〜２２４から突出して形成されている。さらに、各レール部２２ｂは、スライド部２２の前後方向、つまり、操作ボタン２の押下方向Ａとその逆方向Ｂとに延びるように形成されている。
【００３３】
一方、図３に示すように、ベース３は、複数の収容部３１を備えている。各収容部３１は、各操作ボタン２のスライド部２２を押下方向Ａとその逆方向Ｂとに摺動可能に保持する部分である。これについて以下に説明する。
【００３４】
各収容部３１は、スライド部２２を収容するように四角型の筒状に形成されている。各収容部３１の前面と後面は開口されている。さらに、図４にも示すように、各収容部３１の内側の上下面および左右側面の各々には、レール部３１ａが設けられている。
【００３５】
各レール部３１ａは、スライド部２２のレール部２２ｂを押下方向Ａとその逆方向Ｂとに摺動可能に保持する部分である。これを具体的に説明する。各レール部３１ａは、操作ボタン２の押下方向Ａとその逆方向Ｂとに延びるように形成されている。さらに、図５に示すように、各レール部３１ａは、各収容部３１内にスライド部２２が収容された状態で、スライド部２２のレール部２２ｂが内嵌するように溝状に形成されている。
【００３６】
以上説明したように構成されているコントロールユニット１は、ベース成形工程、操作ボタン分割成形工程、エッチング前洗浄工程、エッチング工程、エッチング後洗浄工程、含侵工程、洗浄工程、組み付け工程、調整工程を経て製造されている。以下に、各工程を説明する。なお、ベース成形工程と操作ボタン分割成形工程の順序は逆でも良い。
【００３７】
ベース成形工程：
この工程では、作業者は、公知の成形機を使用して、ベース３を成形して得る。成形材料はポリカーボネート樹脂である。なお、成形材料は、ポリカーボネート樹脂以外でも良い。
【００３８】
操作ボタン分割成形工程：
この工程では、作業者は、公知の成形機を使用して、各操作ボタン２を二つの部品に分割して成形する。成形材料はＡＢＳ樹脂である。この工程によって得られる二つの部品は、操作ボタン本体ＡＢＳ樹脂成形品とスライド部ＡＢＳ樹脂成形品である。操作ボタン本体ＡＢＳ樹脂成形品の外観形状は、前述した操作ボタン本体２１の外観形状と同じである。また、スライド部ＡＢＳ樹脂成形品の外観形状は、前述したスライド部２２の外観形状と同じである。図６（ａ）にスライド部ＡＢＳ樹脂成形品２２ｓの模式図を示す。本実施の形態では、操作ボタン本体２１とスライド部２２の元になる部品をＡＢＳ樹脂により成形しているが、少なくともスライド部２２の元になる部品がＡＢＳ樹脂により成形されれば良い。
【００３９】
エッチング前洗浄工程：
この工程では、ＡＢＳ樹脂に対するめっき工程の前処理の中で用いられる方法（脱脂工程）と同じ方法を適用する。この方法を具体的に説明すると、作業者は、スライド部ＡＢＳ樹脂成形品２２ｓを、洗剤の主成分である界面活性剤水溶液に浸漬する。これにより、図６（ｂ）に示すように、スライド部ＡＢＳ樹脂成形品２２ｓの表面に付着している油汚れ、指紋、埃等の汚れｄが除去される。
【００４０】
なお、界面活性剤水溶液は、前述した脱脂工程で使用される界面活性剤水溶液と同じもので良い。次に、作業者は、汚れｄが除去されたスライド部ＡＢＳ樹脂成形品２２ｓを水洗して、水洗いが終了したスライド部ＡＢＳ樹脂成形品２２ｓを次のエッチング工程に使用する。
【００４１】
エッチング工程：
この工程では、ＡＢＳ樹脂に対するめっき工程の前処理の中で用いられる方法（エッチング）と同じ方法を適用する。この方法を具体的に説明すると、作業者は、エッチング前洗浄工程が終了したスライド部ＡＢＳ樹脂成形品２２ｓをエッチング液ｅに浸漬する。これにより、スライド部ＡＢＳ樹脂成形品２２ｓの表面に存在しているブタジエン粒子ｐが溶解する。その結果、図６（ｃ）に示すような多孔質スライド部２２ｔが得られる。この多孔質スライド部２２ｔは、表面に５μｍ程度の多数のエッチング孔ｈが形成されている。図７に、多孔質スライド部２２ｔの拡大写真を示す。
【００４２】
なお、エッチング液ｅは、クロム酸、無水クロム酸、クロム酸と硫酸との混酸、無水クロム酸と硫酸との混酸等が挙げられる。その中でも、混酸が好ましい。その理由は、クロム酸や無水クロム酸を単独で使用するよりも、クロム酸や無水クロム酸に硫酸のような強い溶解力を持つ酸を混ぜて使用した方が、ブタジエン粒子ｐの溶解力が高まるからである。また、エッチング液ｅの濃度や温度、エッチング液ｅに対するスライド部ＡＢＳ樹脂成形品２２ｓの浸漬時間は任意に設定することが可能である。
【００４３】
エッチング後洗浄工程：
この工程では、ＡＢＳ樹脂に対するめっき工程の前処理の中で用いられる方法（中和工程）と同じ方法を適用する。この方法を具体的に説明すると、作業者は、多孔質スライド部２２ｔの表面に中和剤を散布する。これにより、図６（ｄ）に示すように、多孔質スライド部２２ｔの表面に残存しているエッチング液ｅが中和されて除去される。
【００４４】
なお、中和剤は、エッチング液ｅの種類に応じて使用される。例えば、エッチング液ｅが無水クロム酸と硫酸との混酸の場合には、塩酸やヒドラジンが使用される。次に、作業者は、エッチング液ｅが除去された多孔質スライド部２２ｔを水洗いして、水洗いが終了した多孔質スライド部２２ｔを次の含侵工程に使用する。
【００４５】
含侵工程：
この工程では、作業者は、公知の真空含侵装置を使用して、エッチング後洗浄工程が終了した多孔質スライド部２２ｔを真空引きしながら潤滑剤ｇに浸漬する。これにより、多孔質スライド部２２ｔのエッチング孔ｈに潤滑剤ｇが浸透する。その結果、図６（ｅ）に示すような潤滑剤浸透済スライド部２２ｕが得られる。なお、潤滑剤ｇは、グリース等が使用される。
【００４６】
洗浄工程：
この工程では、作業者は、公知の遠心分離機を使用して、潤滑剤浸透済スライド部２２ｕの表面に残存している余分な潤滑剤ｇを除去する。その結果、図６（ｆ）に示すスライド部２２が得られる。つまり、本実施の形態のスライド部２２は、表面に多数のエッチング孔ｈが形成されており、各エッチング孔ｈには潤滑剤ｇが浸透している。
【００４７】
組み付け工程：
この工程では、作業者は、まず、図８に示すように、ベース３の後方側から各収容部３１内にスライド部２２を入れて、図１に示す状態に保持させる。次に、作業者は、図１に示すように、各スライド部２２の前側部分に操作ボタン本体２１を嵌める。その結果、ベース３に各操作ボタン２が組み付けられた状態になり、コントロールユニット１が形成される。
【００４８】
調整工程：
この工程では、作業者は、組み付け工程よって形成されたコントロールユニット１の各操作ボタン本体２１を指で押す。これによりスライド部２２が押されて、スライド部２２のエッチング孔ｈに浸透している潤滑剤ｇが滲出する。滲出した潤滑剤ｇは、図９に示すようにスライド部２２と収容部３１との間に浸透する。したがって、潤滑剤ｇは、スライド部２２のレール部２２ｂと収容部３１のレール部３１ａとの間にも浸透する。その結果、スライド部２２は、押下方向Ａとその逆方向Ｂとにスムーズに摺動することが可能になる。なお、操作ボタン本体２１のプッシュ作業は、スライド部２２がスムーズに摺動することが確認できるまで行う。以上の各工程を経て、コントロールユニット１が出来上がる。
【００４９】
以上説明したように、本実施の形態のコントロールユニット１の製造方法は、製造途中において、スライド部２２の元部材（多孔質スライド部２２ｔ）を潤滑剤ｇに浸漬している。したがって、本実施の形態のベース３のように、収容部３１の数が多い場合や収容部３１が狭い場合でも、収容部３１とスライド部２２との間に潤滑剤ｇを確実に浸透させておくことが可能になる。よって、本実施の形態のコントロールユニット１の製造方法は、潤滑剤ｇを使用しても、コントロールユニット１の品質低下を防ぐことができる。
【００５０】
また、本実施の形態のコントロールユニット１の製造方法では、エッチング前洗浄工程を設けている。これにより、エッチング工程の際には、スライド部ＡＢＳ樹脂成形品２２ｓの汚れｄが除去されている。このため、エッチング工程においては、スライド部ＡＢＳ樹脂成形品２２ｓの表面全体にエッチング液ｅが行き渡る。その結果、エッチング前洗浄工程を行わない場合に比べて、エッチング孔ｈが多く形成される。これより、多孔質スライド部２２ｔに浸透する潤滑剤ｇの量が多くなるので、出来上がったスライド部２２に浸透している潤滑剤ｇの量も多くなる。したがって、調整工程において、作業者が操作ボタン本体２１を押した時に、スライド部２２から滲出する潤滑剤ｇの量が多くなる。これに伴い、スライド部２２と収容部３１との間に浸透する潤滑剤ｇの量も多くなるので、スライド部２２の摺動性が高まる。したがって、操作ボタン２の操作性が良くなる。よって、本実施の形態のコントロールユニット１の製造方法は、品質の高いコントロールユニットを製造することができる。
【００５１】
また、本実施の形態のコントロールユニット１の製造方法では、エッチング後洗浄工程を設けている。これにより、含侵工程の際には、多孔質スライド部２２ｔからエッチング液ｅが除去されている。このため、含侵工程においては、エッチング後洗浄工程を行わない場合に比べて、エッチング孔ｈに潤滑剤ｇを容易に浸透させることが可能になる。よって、本実施の形態のコントロールユニット１の製造方法は、コントロールユニット１の製造効率をさらに高めることができる。
【００５２】
また、本実施の形態のコントロールユニット１の製造方法では、含侵工程において真空引きをしている。そのため、真空引きをしない場合に比べて、エッチング孔ｈに潤滑剤ｇを容易に浸透させることが可能になる。よって、本実施の形態のコントロールユニット１の製造方法は、コントロールユニット１の製造効率をさらに高めることができる。
【００５３】
また、この含侵工程やエッチング後洗浄工程によって、エッチング孔ｈに潤滑剤ｇが容易に浸透することから、エッチング後洗浄工程を行わない場合に比べて、出来上がったスライド部２２に浸透している潤滑剤ｇの量が多くなっている。したがって、調整工程において作業者が操作ボタン本体２１を押した時に、スライド部２２から滲出する潤滑剤ｇの量が多くなるので、スライド部２２の摺動性がさらに高まる。よって、本実施の形態のコントロールユニット１の製造方法は、より品質の高いコントロールユニット１を製造することができる。
【００５４】
第２の実施の形態：
図１に示すように、本実施の形態のコントロールユニット１００は、複数のプッシュ式の操作ボタン２００と、ベース３００とを備えている。さらに、各操作ボタン２００は、操作ボタン本体２１と、スライド部２２０とを備えている。ここで、各操作ボタン２００の外観形状およびベース３００の外観形状は、第１の実施の形態で説明した各操作ボタン２の外観形状およびベース３の外観形状と同じである。したがって、本実施の形態では、第１の実施の形態の説明で使用した図面を使用する。なお、本実施の形態において第１の実施の形態と同じ部分には同じ符号を付し、異なる部分を中心にして説明する。
【００５５】
本実施の形態のコントロールユニット１００は、ベース元部材成形工程、操作ボタン分割成形工程、エッチング前洗浄工程、エッチング工程、エッチング後洗浄工程、含侵工程、洗浄工程、組み付け工程、調整工程を経て製造されている。以下に、各工程を説明する。なお、このコントロールユニット１００の製造方法において、ベース元部材成形工程と操作ボタン分割成形工程の順序は逆でも良い。
【００５６】
ベース元部材成形工程：
この工程では、作業者は、公知の二色成形機を使用して、ベース二色成形品を製造する。このベース二色成形品の外観形状は、ベース３００の外観形状と同じである。ベース二色成形品は、各収容部３１０（図３や図４参照）に相当する部分をＡＢＳ樹脂を用いて成形し、収容部３１０以外の相当する部分をポリカーボネート樹脂を用いて成形している。図６（ａ）に、ＡＢＳ樹脂成形収容部３１０ｓの模式図を示す。このＡＢＳ樹脂成形収容部３１０ｓは、ベース３００において収容部３１０に相当している部分である。
【００５７】
操作ボタン分割成形工程：
この工程では、作業者は、公知の成形機を使用して、各操作ボタン２００を二つの部品に分割して成形する。この二つの部品は、操作ボタン本体ＡＢＳ樹脂成形品とスライド部ＡＢＳ樹脂成形品である。双方の部品は、第１の実施の形態で説明したものと同じものである。なお、本実施の形態では、双方の部品をＡＢＳ樹脂により成形したが、樹脂の種類は特に限定されない。例えば、一方の部品をＡＢＳ樹脂により成形し、他方の部品をポリカーボネート樹脂により成形することも可能である。
【００５８】
エッチング前洗浄工程：
この工程では、第１の実施の形態で説明したエッチング前洗浄工程と同様な方法が用いられる。具体的には、作業者は、ベース二色成形品を界面活性剤水溶液に浸漬する。これにより、ベース二色成形品の表面に付着している汚れｄが除去される。したがって、図６（ｂ）に示すように、ＡＢＳ樹脂成形収容部３１０ｓの表面に付着している汚れｄも除去される。次に、作業者は、汚れｄが除去されたベース二色成形品を水洗いして、水洗いが終了したベース二色成形品を次のエッチング工程に使用する。
【００５９】
エッチング工程：
この工程では、第１の実施の形態で説明したエッチング工程と同様な方法が用いられる。具体的には、作業者は、エッチング前洗浄工程が終了したベース二色成形品をエッチング液ｅに浸漬する。これにより、ベース二色成形品において、ＡＢＳ樹脂成形収容部３１０ｓの表面に存在しているブタジエン粒子ｐが溶解して、図６（ｃ）に示すような多孔質収容部３１０ｔが得られる。この多孔質収容部３１０ｔは、表面に５μｍ程度の多数のエッチング孔ｈが形成されている。なお、具体的なエッチング液は、第１の実施の形態で説明した通りである。また、エッチング液ｅの濃度や温度、エッチング液ｅに対するベース二色成形品の浸漬時間は、任意に設定することが可能である。
【００６０】
エッチング後洗浄工程：
この工程では、第１の実施の形態で説明したエッチング後洗浄工程と同様な方法が用いられる。具体的には、作業者は、多孔質収容部３１０ｔを有するベース二色成形品の表面に中和剤を散布する。これにより、図６（ｄ）に示すように、ベース二色成形品の表面（多孔質収容部３１０ｔ）の表面に残存しているエッチング液ｅが中和されて除去される。なお、具体的な中和剤は、第１の実施の形態で説明した通りである。次に、作業者は、エッチング液ｅが除去された多孔質収容部３１０ｔを水洗いして、水洗いが終了した多孔質収容部３１０ｔを次の含侵工程に使用する。
【００６１】
含侵工程：
この工程では、第１の実施の形態で説明した含侵工程と同様な方法が用いられる。具体的には、作業者は、公知の真空含侵装置を使用して、エッチング後洗浄工程が終了したベース二色成形品を真空引きしながら潤滑剤ｇに浸漬する。これにより、多孔質収容部３１０ｔのエッチング孔ｈに潤滑剤ｇが浸透して、潤滑剤浸透済ベース二色成形品が得られる。この潤滑剤浸透済ベース二色成形品は、図６（ｅ）に示すように、潤滑剤浸透済収容部３１０ｕを有している。この潤滑剤浸透済収容部３１０ｕは、多孔質収容部３１０ｔのエッチング孔ｈに潤滑剤ｇが浸透したものである。なお潤滑剤ｇとしては、グリース等が使用される。
【００６２】
洗浄工程：
この工程では、第１の実施の形態で説明した洗浄工程と同様な方法が用いられる。具体的には、作業者は、遠心分離機を使用して、含侵工程が終了したベース二色成形品の表面に残存している余分な潤滑剤ｇを除去する。その結果、図６（ｆ）に示すような収容部３１０を有するベース３００を得る。つまり、本実施の形態のベース３００は、各収容部３１０の表面に多数のエッチング孔ｈが形成されており、各エッチング孔ｈには潤滑剤ｇが浸透している。
【００６３】
組み付け工程：
この工程では、第１の実施の形態で説明した組み付け工程と同様な方法が用いられる。作業者は、まず、図８に示すように、ベース３００の後方側から各収容部３１０内にスライド部２２０を入れて図１に示す状態に保持させる。次に、作業者は、図１に示すように、各スライド部２２０の前側部分に操作ボタン本体２１を嵌める。これにより、ベース３００に各操作ボタン２００が組みつけられて、コントロールユニット１００が形成される。
【００６４】
調整工程：
この工程では、作業者は、組み付け工程によって形成されたコントロールユニット１００の各操作ボタン本体２１を指で押す。これによりスライド部２２０が押されて、収容部３１０のエッチング孔ｈに浸透している潤滑剤ｇが滲出する。滲出した潤滑剤ｇは、図９に示すように、スライド部２２０と収容部３１０との間に浸透する。したがって、潤滑剤ｇは、スライド部２２０のレール部２２ｂと収容部３１０のレール部３１ａとの間にも浸透する。その結果、スライド部２２０は、押下方向Ａとその逆方向Ｂとにスムーズに摺動することが可能になる。なお、操作ボタン本体２１のプッシュ作業は、スライド部２２０がスムーズに摺動することが確認できるまで行う。以上の各工程を経て、コントロールユニット１００が出来上がる。
【００６５】
以上説明したように、本実施の形態のコントロールユニット１００の製造方法は、製造途中において、ベースの元部材（多孔質収容部３１０ｔを有するベース二色成形品）を潤滑剤ｇに浸漬している。したがって、本実施の形態のベース３００のように、収容部３１０の数が多い場合や収容部３１０が狭い場合でも、収容部３１０とスライド部２２０との間に潤滑剤ｇを確実に浸透させておくことが可能になる。よって、本実施の形態のコントロールユニット１００の製造方法は、潤滑剤ｇを使用しても、コントロールユニット１００の品質低下を防ぐことができる。その結果、車両の生産ラインにおいては、コントロールユニットを安定して供給することができる。
【００６６】
また、本実施の形態のコントロールユニット１００の製造方法では、エッチング前洗浄工程を設けている。これにより、エッチング工程の際には、ベース二色成形品の表面に付着している汚れｄが除去されている。このため、ベース二色成形品の表面全体にエッチング液ｅが行き渡る。したがって、ＡＢＳ樹脂成形収容部３１０ｓの表面全体にもエッチング液ｅが行き渡る。その結果、エッチング前洗浄工程を行わない場合に比べて、エッチング孔ｈが多く形成される。これより、多孔質収容部３１０ｔに浸透する潤滑剤ｇの量が多くなるので、出来上がったベース３００の各収容部３１０に浸透する潤滑剤ｇの量も多くなる。したがって、調整工程において、作業者が各操作ボタン本体２１を押した時に、各収容部３１０から滲出する潤滑剤ｇの量が多くなる。これに伴い、スライド部２２０と収容部３１０との間に浸透する潤滑剤ｇの量も多くなるので、スライド部２２０の摺動性が高まる。したがって、操作ボタン２００の操作性が良くなる。よって、本実施の形態のコントロールユニット１００の製造方法は、品質の高いコントロールユニット１００を製造することができる。
【００６７】
また、本実施の形態のコントロールユニット１００の製造方法では、エッチング後洗浄工程を設けている。これにより、含侵工程の際には、ベース二色成形品の表面からエッチング液ｅが除去されている。このため、エッチング後洗浄工程を行わない場合に比べて、エッチング孔ｈに潤滑剤ｇを容易に浸透させることが可能になる。よって、本実施の形態のコントロールユニット１００の製造方法は、コントロールユニット１００の製造効率をさらに高めることができる。
【００６８】
また、本実施の形態のコントロールユニット１００の製造方法では、含侵工程において真空引きをしている。そのため、真空引きをしない場合に比べて、エッチング孔ｈに潤滑剤ｇを容易に浸透させることが可能になる。よって、本実施の形態のコントロールユニット１の製造方法は、コントロールユニット１００の製造効率をさらに高めることができる。
【００６９】
さらに、この含侵工程やエッチング後洗浄工程によって、エッチング孔ｈに潤滑剤ｇが容易に浸透することから、エッチング後洗浄工程を行わない場合に比べて、出来上がったベース３００の収容部３１０に浸透している潤滑剤ｇの量が多くなっている。これにより、調整工程において作業者が操作ボタン本体２１を押した時に、収容部３１０から滲出する潤滑剤ｇの量が多くなるので、スライド部２２０の摺動性がさらに高まる。よって、本実施の形態のコントロールユニット１００の製造方法は、より品質の高いコントロールユニット１００を製造することができる。
【００７０】
第３の実施の形態：
本実施の形態のコントロールユニットは、第１の実施の形態で説明したコントロールユニットの各操作ボタン２と、第２の実施の形態で説明したベース３００とを備えている。したがって、本実施の形態では、第１の実施の形態の説明で使用した図面を使用して説明する。なお、本実施の形態において第１の実施の形態や第２の実施の形態と同じ部分には同じ符号を付し、異なる部分を中心にして説明する。
【００７１】
本実施の形態のコントロールユニットは、ベース元部材成形工程、操作ボタン分割成形工程、エッチング前洗浄工程、エッチング工程、エッチング後洗浄工程、含侵工程、洗浄工程、組み付け工程、調整工程を経て製造されている。以下に、各工程を説明する。なお、本実施の形態のコントロールユニットの製造方法において、ベース元部材成形工程と操作ボタン分割成形工程の順序は逆でも良い。
【００７２】
ベース元部材成形工程：
この工程は、第２の実施の形態で説明したベース元部材成形工程と同じである。作業者は、この工程を行うことにより、第２の実施の形態と同じベース二色成形品が得られる。このベース二色成形品は、図６（ａ）に示すようなＡＢＳ樹脂成形収容部３１０ｓを備えている。
【００７３】
操作ボタン分割成形工程：
この工程は、第１の実施の形態で説明した操作ボタン分割成形工程と同じである。作業者は、この工程を行うことにより、図６（ａ）に示すような操作ボタン本体ＡＢＳ樹脂成形品２２ｓと、スライド部ＡＢＳ樹脂成形品とを得る。なお、本実施の形態では、操作ボタン本体２１とスライド部２２の元になる部品をＡＢＳ樹脂により成形したが、少なくともスライド部２２の元になる部品がＡＢＳ樹脂により成形されれば良い。
【００７４】
エッチング前洗浄工程：
この工程は、第１の実施の形態で説明したエッチング前洗浄工程と、第２の実施の形態で説明したエッチング前洗浄工程とを合わせたものである。作業者は、この工程を行うことにより、図６（ｂ）に示すように、ベース二色成形品の表面（ＡＢＳ樹脂成形収容部３１０ｓ）に付着している汚れｄや、スライド部ＡＢＳ樹脂成形品２２ｓの表面に付着している汚れｄが除去される。次に、作業者は、汚れｄが除去されたベース二色成形品やスライド部ＡＢＳ樹脂成形品を水洗いして、水洗いが終了したベース二色成形品やスライド部ＡＢＳ樹脂成形品を次のエッチング工程に使用する。
【００７５】
エッチング工程：
この工程は、第１の実施の形態で説明したエッチング工程と、第２の実施の形態で説明したエッチング工程とを合わせたものである。作業者は、この工程を行うことにより、図６（ｃ）に示すように、多孔質スライド部２２ｔと、多孔質収容部３１０ｔを有するベース二色成形品を得る。
【００７６】
エッチング後洗浄工程：
この工程は、第１の実施の形態で説明したエッチング後洗浄工程と、第２の実施の形態で説明したエッチング後洗浄工程とを合わせたものである。作業者は、この工程を行うことにより、図６（ｄ）に示すように、多孔質スライド部２２ｔに残存しているエッチング液ｅや、ベース二色成形品に残存しているエッチング液ｅが除去される。次に、作業者は、エッチング液ｅが除去された多孔質スライド部２２ｔやベース二色成形品を水洗いして、水洗いが終了した多孔質スライド部２２ｔやベース二色成形品を次の含侵工程に使用する。
【００７７】
含侵工程：
この工程は、第１の実施の形態で説明した含侵工程と、第２の実施の形態で説明した含侵工程とを合わせたものである。作業者は、この工程を行うことにより、図６（ｅ）に示すような潤滑剤浸透済スライド部２２ｕと、潤滑剤浸透済収容部３１０ｕを有する潤滑剤浸透済ベース二色成形品とを得る。
【００７８】
洗浄工程：
この工程は、第１の実施の形態で説明した洗浄工程と、第２の実施の形態で説明した洗浄工程とを合わせたものである。作業者は、この工程を行うことにより、本実施の形態のスライド部２２と、ベース３００とを得る。
【００７９】
組み付け工程：
この工程では、第１の実施の形態や第２の実施の形態で説明した組み付け工程と同様な方法が用いられる。作業者は、まず、図８に示すように、ベース３００の後方側から各収容部３１０内にスライド部２２を入れて図１に示す状態に保持させる。次に、作業者は、各スライド部２２の前側部分に操作ボタン本体２１を嵌める。これにより、ベース３００に各操作ボタン２が組みつけられた状態になり、コントロールユニットが形成される。
【００８０】
調整工程：
この工程では、第１の実施の形態や第２の実施の形態で説明した調整工程と同様な方法が用いられる。作業者は、組み付け工程によって形成されたコントロールユニットの各操作ボタン本体２１を指で押す。これによりスライド部２２が押されて、スライド部２２のエッチング孔ｈや収容部３１０のエッチング孔ｈに浸透している潤滑剤ｇが滲出する。滲出した潤滑剤ｇは、図９に示すように、スライド部２２と収容部３１０との間に浸透する。したがって、潤滑剤ｇは、スライド部２２のレール部２２ｂと収容部３１０のレール部３１ａとの間にも浸透する。これにより、スライド部２２は、押下方向Ａとその逆方向Ｂとにスムーズに摺動することが可能になる。なお、操作ボタン本体２１のプッシュ作業は、スライド部２２がスムーズに摺動することが確認できるまで行う。以上の各工程を経て、コントロールユニットが出来上がる。
【００８１】
以上説明したように、本実施の形態のコントロールユニットの製造方法は、製造途中において、スライド部２２の元部材（多孔質スライド部２２ｔ）や、ベース３００の元部材（多孔質収容部３１０ｔを有するベース二色成形品）を潤滑剤ｇに浸漬している。このため、本実施の形態のコントロールユニットの製造方法は、収容部３１０の数が多いコントロールユニットや、収容部３１０が狭いコントロールユニットを製造する場合であっても、収容部３１０とスライド部２２との間に潤滑剤ｇを確実に浸透させておくことが可能になる。よって、本実施の形態のコントロールユニットの製造方法は、潤滑剤ｇを使用しても、コントロールユニットの品質低下を防ぐことができる。その結果、車両の生産ラインにおいては、コントロールユニットを安定して供給することができる。
【００８２】
さらに、本実施の形態のコントロールユニットの製造方法では、スライド部２２と収容部３１０の双方に潤滑剤ｇが浸透している。このことから、調整工程の際に滲出する潤滑剤ｇの量が、第１の実施の形態や第２の実施の形態の場合よりも多くなる。したがって、スライド部２２の摺動性も、第１の実施の形態や第２の実施の形態の場合よりも高まるので操作ボタン２の操作性もさらに向上する。よって、本実施の形態のコントロールユニットの製造方法は、第１の実施の形態で説明したコントロールユニットの製造方法や、第２の実施の形態で説明したコントロールユニットの製造方法に比べて、さらに品質の高いコントロールユニットを製造することができる。
【００８３】
また、本実施の形態のコントロールユニットの製造方法では、エッチング前洗浄工程を設けている。これにより、エッチング工程の際には、スライド部ＡＢＳ樹脂成形品２２ｓの表面に付着している汚れｄが除去されている。このため、スライド部ＡＢＳ樹脂成形品２２ｓの表面全体にエッチング液ｅが行き渡る。その結果、エッチング前洗浄工程を行わない場合に比べてエッチング孔ｈが多く形成されるので、多孔質スライド部２２ｔに浸透する潤滑剤ｇの量が多くなる。
【００８４】
また、エッチング工程の際には、ベース二色成形品の表面に付着している汚れｄも除去されているため、ベース二色成形品の表面全体にエッチング液ｅが行き渡る。その結果、エッチング前洗浄工程を行わない場合に比べてエッチング孔ｈが多く形成されるので、多孔質収容部３１０ｔに浸透する潤滑剤ｇの量が多くなる。
【００８５】
したがって、出来上がったスライド部２２やベース３００の収容部３１０は、エッチング前洗浄工程を行わない場合に比べて、潤滑剤ｇの浸透量が多くなっている。これに伴い、調整工程の際に滲出する潤滑剤ｇの量も多くなるので、スライド部２２の摺動性が高まる。したがって、操作ボタン２の操作性が良くなる。よって、本実施の形態のコントロールユニットの製造方法は、品質の高いコントロールユニットを製造することができる。
【００８６】
また、本実施の形態のコントロールユニットの製造方法では、エッチング後洗浄工程を設けている。これにより、含侵工程の際には、多孔質スライド部２２ｔからエッチング液ｅが除去されている。このため、エッチング後洗浄工程を設けない場合に比べて、潤滑剤ｇを多孔質スライド部２２ｔのエッチング孔ｈに容易に浸透させることが可能になる。また、含侵工程の際には、ベース二色成形品の表面からもエッチング液ｅが除去されている。このため、潤滑剤ｇをベース二色成形品のエッチング孔ｈに容易に浸透させることが可能になる。よって、本実施の形態のコントロールユニットの製造方法は、コントロールユニットの製造効率を高めることができる。
【００８７】
また、本実施の形態のコントロールユニットの製造方法では、第１の実施の形態や第２の実施の形態で説明した製造方法と同様に、真空引きをしながら含侵工程を行っている。このため、含侵工程では、エッチング孔ｈに潤滑剤ｇを容易に浸透させることが可能になる。よって、本実施の形態のコントロールユニットの製造方法は、コントロールユニットの製造効率を高めることができる。
【００８８】
さらに、この含侵工程やエッチング後洗浄工程によって、エッチング孔ｈに潤滑剤ｇが容易に浸透することから、エッチング後洗浄工程を行わない場合に比べて、出来上がったスライド部２２や収容部３１０に浸透している潤滑剤ｇの量が多くなっている。したがって、調整工程の際にスライド部２２や収容部３１０から滲出する潤滑剤ｇの量が多くなるので、スライド部２２の摺動性がさらに高まる。よって、本実施の形態のコントロールユニットの製造方法は、より品質の高いコントロールユニットを製造することができる。
【００８９】
なお、第１の実施の形態〜第３の実施の形態で説明したコントロールユニットの製造方法では、真空引きをしながら含侵工程を行っている。しかし、必ずしも真空引きをする必要はない。真空引きをしなくても、エッチング孔ｈに潤滑剤ｇを浸透させることは可能である。したがって、第１の実施の形態〜第３の実施の形態で説明したコントロールユニットの製造方法から真空引きを除いたコントロールユニットの製造方法であっても、品質を落とさずにコントロールユニットを製造することができる。
【００９０】
また、第１の実施の形態〜第３の実施の形態で説明したコントロールユニットの製造方法では、エッチング前洗浄工程とエッチング後洗浄工程とを備えたものとした。しかし、必ずしも双方の工程を備える必要はない。双方の工程を備えていなくても、基本工程を備えていれば、収容部とスライド部との間に潤滑剤ｇを確実に浸透させておくことは可能である。この基本工程とは、ＡＢＳ樹脂を用いてスライド部やベースの収容部を成形する工程、エッチング工程、洗浄工程、含侵工程、組み付け工程、調整工程である。したがって、第１の実施の形態〜第３の実施の形態で説明したコントロールユニットの製造方法から、エッチング前洗浄工程とエッチング後洗浄工程とを除いたコントロールユニットの製造方法であっても、品質を落とさずにコントロールユニットを製造することができる。なお、前述した基本工程に、エッチング前洗浄工程またはエッチング後洗浄工程の一方のみを加えた製造方法でも良い。
【００９１】
以上、本件発明にかかる実施の形態を例示したが、これらの実施の形態は本件発明の内容を限定するものではない。また、本件発明の請求項の範囲を逸脱しない範囲であれば、各種の変更等は可能である。
【産業上の利用可能性】
【００９２】
以上説明したように本件発明のコントロールユニットの製造方法および、その製造方法で製造されたコントロールユニットにおいては、潤滑剤を使用しても、コントロールユニットの品質低下を防ぐことができる。したがって、本件発明を、コントロールユニットの製造技術分野で十分に利用することができる。
【図面の簡単な説明】
【００９３】
【図１】本件発明の実施の形態を示すコントロールユニットの分解斜視図である。
【図２】同実施の形態を示す操作ボタンのスライド部を後方から見た斜視図である。
【図３】同実施の形態を示すベースとスライド部を後方から見た斜視図である。
【図４】同実施の形態を示すベースの平面図である。
【図５】同実施の形態を示すベースとスライド部との組み付け状態の斜視図である。
【図６】同実施の形態を示すスライド部およびベースの製造方法の模式図である
【図７】同実施の形態を示す多孔質スライド部の拡大写真である。
【図８】同実施の形態を示すベースとスライド部との組み付け方法の斜視図である。
【図９】同実施の形態を示す操作ボタンとベースとの組み付け状態の要部の縦断面図である。
【符号の説明】
【００９４】
１    コントロールユニット
２    操作ボタン
３    ベース
２１    操作ボタン本体
２２    スライド部
２２ｓ    スライド部ＡＢＳ樹脂成形品
２２ｔ    多孔質スライド部
２２ｕ    潤滑剤浸透済スライド部
３１    収容部
１００    コントロールユニット
２００    操作ボタン
３００    ベース
３１０    収容部
３１０ｓ    ＡＢＳ樹脂成形収容部
３１０ｔ    多孔質収容部
３１０ｕ    潤滑剤浸透済収容部
Ａ    押下方向
Ｂ    押下方向の逆方向
ｅ    エッチング液
ｇ    潤滑剤
ｈ    エッチング孔
ｐ    ブタジエン粒子
【図１】
2009059485.tif 000003
【図２】
2009059485.tif 000004
【図３】
2009059485.tif 000005
【図４】
2009059485.tif 000006
【図５】
2009059485.tif 000007
【図６】
2009059485.tif 000008
【図８】
2009059485.tif 000009
【図９】
2009059485.tif 000010
【図７】
2009059485.tif 000011